(57)【要約】【課題】  良好なコントラストの映像を得ることが可能な映像処理装置を提供する。【解決手段】  この映像処理装置では、強調特性カーブの存在範囲を上限線および下限線で囲まれる菱形の領域に設定し、ヒストグラムにカット・クリップ処理を施し、累積頻度を算出し、累積頻度の最大値が上記上限線に位置するように累積頻度を正規化し、正規化された累積頻度および所定の規則に基づいて強調特性カーブが上記領域内に入るように強調特性カーブを算出する。したがって、コントラスト強調を所定範囲内で確実に行うことができ、コントラスト強調が強くなり過ぎることを防止することができる。【選択図】        図６
2005109875.tif 000002
【特許請求の範囲】
【請求項１】
映像処理装置であって、
入力輝度と出力輝度の関係を示すコントラスト強調特性曲線に基づいて入力映像のコントラストを強調するコントラスト強調部、
入力映像に基づいて輝度に対する頻度のヒストグラムを生成するヒストグラム計測部、および
前記ヒストグラム計測部で生成されたヒストグラムに基づいてコントラスト強調特性曲線を算出し前記コントラスト強調部に与える強調特性算出部を備え、
前記強調特性算出部は、前記コントラスト強調特性曲線が上限曲線および下限曲線で囲まれた予め定められた範囲内に入るように算出する、映像処理装置。
【請求項２】
前記強調特性算出部は、
前記ヒストグラムのうちの前記コントラスト強調特性曲線の算出に使用する範囲を所定の範囲に限定する限定部、
前記限定部によって限定されたヒストグラムの範囲の累積頻度を算出する累積頻度算出部、
前記累積頻度算出部で算出された累積頻度を正規化する正規化部、および
前記正規化部によって正規化された累積頻度および所定の規則に基づいて、前記予め定められた範囲内に入るように前記コントラスト強調特性曲線を算出する曲線算出部を含む、請求項１に記載の映像処理装置。
【請求項３】
前記コントラスト強調部は、前記コントラスト強調特性曲線を保持し、
前記ヒストグラム計測部は、各フィールド毎に前記ヒストグラムを生成し、
前記強調特性算出部は、各フィールド毎に前記コントラスト強調特性曲線を算出し、前記コントラスト強調部に保持されたコントラスト強調特性を算出したコントラスト強調特性曲線に所定の速さで変化させ、
前記映像処理装置は、さらに、前記強調特性算出部によって算出された複数のコントラスト強調特性を比較し、比較結果に基づいて前記所定の速さを制御する制御部を備える、請求項1または請求項２に記載の映像処理装置。
【請求項４】
さらに、前記コントラスト強調部によってコントラスト強調された映像に空間的低域フィルタ処理を施すフィルタ部、
前記入力映像のエッジを強調するエッジ強調部、および
前記フィルタ部の出力映像と前記エッジ強調部の出力映像とを加算する加算器を備える、請求項１から請求項３のいずれかに記載の映像処理装置。
【請求項５】
映像処理装置であって、
入力輝度と出力輝度の関係を示すコントラスト強調特性曲線を保持し、保持したコントラスト強調特性曲線に基づいて入力映像のコントラストを強調するコントラスト強調部、
入力映像に基づいて輝度に対する頻度のヒストグラムを各フィールド毎に生成するヒストグラム計測部、
前記ヒストグラム計測部で生成されたヒストグラムに基づいてコントラスト強調特性曲線を各フィールド毎に算出し、前記コントラスト強調部に保持されたコントラスト強調特性を算出したコントラスト強調特性曲線に所定の速さで変化させる強調特性算出部、および
前記強調特性算出部によって算出された複数のコントラスト強調特性を比較し、比較結果に基づいて前記所定の速さを制御する制御部を備える、映像処理装置。
【請求項６】
映像処理装置であって、
入力映像のコントラストを強調するコントラスト強調部、
前記コントラスト強調部によってコントラスト強調された映像に空間的低域フィルタ処理を施すフィルタ部、
前記入力映像のエッジを強調するエッジ強調部、および
前記フィルタ部の出力映像と前記エッジ強調部の出力映像とを加算する加算器を備える
、映像処理装置。
【発明の詳細な説明】
【技術分野】
【０００１】
この発明は映像処理装置に関し、特に、映像のコントラスト強調を行なう映像処理装置に関する。
【背景技術】
【０００２】
映像のコントラスト強調は、輝度の入出力特性を変えることにより実現される。すなわち、図１４に示すように、本来はＹｏｕｔ＝Ｙｉｎとなる入出力特性Ａを所定の関数Ｙｏｕｔ＝ｆ（Ｙｉｎ）で表される入出力特性Ｂに変換し、コントラストを強調する。この入出力特性Ｂによれば、明るい部分はより明るくなり、暗い部分はより暗くなる。コントラストを強調する入出力特性（コントラスト強調特性）は、入力映像から取得した輝度に対する頻度のヒストグラムに基づき、所定のアルゴリズムによって生成される（たとえば特許文献１参照）。
【特許文献１】特開平１０−２１０３２３号公報
【発明の開示】
【発明が解決しようとする課題】
【０００３】
しかし、従来のコントラスト強調方法では、映像によってはコントラストが強調され過ぎることがあった。また、動画では強調特性を急激に変えるとガタツキやブレが発生することがあった。さらに、強調特性カーブの傾きがＹｏｕｔ＝Ｙｉｎよりも大きい場合は、Ｙｏｕｔには現れることが無い値が発生したり（Ｙｉｎの値は１しか変わっていないのにＹｏｕｔの値が２以上変わる箇所を指し、簡単のため、以下、輝度のギャップと呼ぶ）、強調特性カーブの傾きがＹｏｕｔ＝Ｙｉｎよりも小さい場合は、Ｙｉｎ値が１違うのにＹｏｕｔ値は同じになる箇所（簡単のため、以下、輝度の重なりと呼ぶ）が発生する問題があった。
【０００４】
それゆえに、この発明の主たる目的は、良好なコントラストの映像を得ることが可能な映像処理装置を提供することである。
【課題を解決するための手段】
【０００５】
この発明に係る映像処理装置は、入力輝度と出力輝度の関係を示すコントラスト強調特性曲線に基づいて入力映像のコントラストを強調するコントラスト強調部と、入力映像に基づいて輝度に対する頻度のヒストグラムを生成するヒストグラム計測部と、ヒストグラム計測部で生成されたヒストグラムに基づいてコントラスト強調特性曲線を算出しコントラスト強調部に与える強調特性算出部とを備え、強調特性算出部は、コントラスト強調特性曲線が上限曲線および下限曲線で囲まれた予め定められた範囲内に入るように算出する。
【０００６】
この発明に係る他の映像処理装置は、入力輝度と出力輝度の関係を示すコントラスト強調特性曲線を保持し、保持したコントラスト強調特性曲線に基づいて入力映像のコントラストを強調するコントラスト強調部と、入力映像に基づいて輝度に対する頻度のヒストグラムを各フィールド毎に生成するヒストグラム計測部と、ヒストグラム計測部で生成されたヒストグラムに基づいてコントラスト強調特性曲線を各フィールド毎に算出し、コントラスト強調部に保持されたコントラスト強調特性を算出したコントラスト強調特性曲線に所定の速さで変化させる強調特性算出部と、強調特性算出部によって算出された複数のコントラスト強調特性を比較し、比較結果に基づいて所定の速さを制御する制御部とを備えたものである。
【０００７】
この発明に係るさらに他の映像処理装置は、入力映像のコントラストを強調するコントラスト強調部と、コントラスト強調部によってコントラスト強調された映像に空間的低域フィルタ処理を施すフィルタ部と、入力映像のエッジを強調するエッジ強調部と、フィルタ部の出力映像とエッジ強調部の出力映像とを加算する加算器とを備えたものである。
【発明の効果】
【０００８】
この発明に係る映像処理装置では、コントラスト強調特性曲線が上限曲線および下限曲線で囲まれた予め定められた範囲内に入るように算出されるので、コントラスト強調を予め定められた範囲内で確実に行うことができ、コントラスト強調が強くなり過ぎることを防止することができる。
【０００９】
この発明に係る他の映像処理装置では、強調特性算出部によって算出された複数のコントラスト強調特性を比較し、比較結果に基づいてコントラスト強調部に保持されたコントラスト強調特性を変化させる速さを制御するので、動画においても安定した良好なコントラストを得ることができる。
【００１０】
この発明に係るさらに他の映像処理装置では、コントラスト強調部によってコントラスト強調された映像に空間的低域フィルタ処理を施すともに、コントラスト強調部に並列にエッジ強調部を設けたので、コントラスト強調された映像における輝度のギャップや重なりの発生を効果的に抑制することができる。
【発明を実施するための最良の形態】
【００１１】
［実施の形態１］
図１は、この発明の実施の形態１による映像処理装置の構成を示すブロック図である。図１において、この映像処理装置は、ヒストグラム計測部１、強調特性算出部２およびコントラスト強調部３を備える。ヒストグラム計測部１は、入力映像に基づいて輝度に対する頻度のヒストグラムを生成する。強調特性算出部２は、ヒストグラム計測部１で生成されたヒストグラムに基づいてコントラスト強調特性を算出する。コントラスト強調部３は、強調特性算出部２で生成されたコントラスト強調特性に基づいて入力映像を処理し、コントラストが強調された映像を出力する。
【００１２】
以下、強調特性算出部２におけるコントラスト強調特性の算出方法について詳細に説明する。まず、ユーザによってコントラスト強調特性カーブの存在範囲が設定される。強調特性カーブの存在範囲は、図２に示すように、γ＝１すなわちＹｏｕｔ＝Ｙｉｎの直線を対角線とする菱形の領域に設定される。ユーザは、強調特性カーブの上限を１７のポイントＡＲＥＡ＿ＵＰ［０］、ＡＲＥＡ＿ＵＰ［１］、…、ＡＲＥＡ＿ＵＰ［１６］で指定する。強調特性算出部２は、１７のポイントを補間して強調特性カーブの上限線ＡＲＥＡ＿ＵＰを描画する。なお、図２では、この上限線ＡＲＥＡ＿ＵＰとγ＝１の直線は、γ＝１の直線を底辺とする上向きの二等辺三角形となっているが、ＡＲＥＡ＿ＵＰの取る値によりその形状が種々変わることは自明である。またユーザは、強調特性カーブの下限を１７のポイントＡＲＥＡ＿ＢＭ［０］、ＡＲＥＡ＿ＢＭ［１］、…、ＡＲＥＡ＿ＢＭ［１６］で指定する。強調特性算出部２は、１７のポイントを補間して強調特性カーブの下限線ＡＲＥＡ＿ＢＭを描画する。なお、図２では、この下限線ＡＲＥＡ＿ＢＭとγ＝１の直線は、γ＝１の直線を底辺とする下向きの二等辺三角形となっているが、ＡＲＥＡ＿ＢＭの取る値によりその形状が種々変わることは自明である。したがって、上限線ＡＲＥＡ＿ＵＰおよび下限線ＡＲＥＡ＿ＢＭは、図２では上記菱形を構成し、一般的には閉曲線を構成する。コントラスト強調を強くしたい場合は、γ＝１の直線から遠ざかるように上限線ＡＲＥＡ＿ＵＰおよび下限線ＡＲＥＡ＿ＢＭを設定する。逆に、コントラスト強調を弱めたい場合は、γ＝１のカーブに近づけるよう上限線ＡＲＥＡ＿ＵＰおよび下限線ＡＲＥＡ＿ＢＭを設定する。
【００１３】
次に、強調特性カーブの基本特性を設定する。ヒストグラム法では、強調特性カーブは頻度が多い輝度で傾きが急になり、頻度が少ない輝度で傾きが緩やかになる。有効頻度上限ＣＬＩＰ＿ＵＰおよび有効頻度下限ＣＬＩＰ＿ＢＭは、強調特性カーブへ頻度をどの程度反映させるかを調整するパラメータである。有効頻度上限ＣＬＩＰ＿ＵＰは、強調特性カーブへ反映させる頻度の上限を指定するものである。有効頻度上限ＣＬＩＰ＿ＵＰの設定値を大きくすると強調特性カーブは頻度が多い所で急峻に変化し、その設定値を小さくすると強調特性カーブに対する頻度の大小の影響が弱くなる。有効頻度下限ＣＬＩＰ＿ＢＭは、強調特性カーブへ反映させる頻度の下限を指定するものである。有効頻度下限ＣＬＩＰ＿ＢＭの設定値を大きくすると、強調特性カーブは頻度の増減を反映し難くなり、一定の傾きをもつ直線に近くなる。逆に、有効頻度下限ＣＬＩＰ＿ＢＭの設定値を小さくすると、頻度が多い輝度で強調特性カーブの傾きが急になり、頻度が少ない輝度で強調特性カーブの傾きは緩やかになる。
【００１４】
また、下位カット輝度ＣＵＴ＿ＭＩＮ以下の輝度に属する頻度は必ず所定値に設定される。所定値としては、有効頻度下限ＣＬＩＰ＿ＢＭよりも小さな値、たとえば有効頻度下限ＣＬＩＰ＿ＢＭの半分の値を設定する。なお、本実施例では、図３に示すように、所定値は０としている。下位カット輝度ＣＵＴ＿ＭＩＮを大きくすると、入出力特性変換後の低輝度部がより低い輝度になる。なお、この機能は、シネマスコープ画像において黒部分の強調特性カーブへ影響を抑える効果もある。上位カット輝度ＣＵＴ＿ＭＡＸは、ＣＵＴ＿ＭＡＸ異常の輝度に属する頻度を所定値に設定する。所定値としては、有効頻度下限ＣＬＩＰ＿ＢＭよりも小さな値、たとえば有効頻度下限ＣＬＩＰ＿ＢＭの半分の値を設定する。なお、本実施例では、図３に示すように、所定値は０としている。上位カット輝度ＣＵＴ＿ＭＡＸは、ヒストグラム上の最大輝度からどれくらい最小輝度方向に離れるかを指定する。上位輝度に対する頻度ヒストグラムの頻度を０として強調特性カーブを作ることで、画像内での高輝度部が早くピーク輝度に近づくようにされている。また、この機能は、映像内の白文字およびカメラ・フラッシュ等の強調特性カーブへの影響を軽減する。なお、上位カット輝度ＣＵＴ＿ＭＡＸを適応する起点となる最大輝度は、ノイズなどの影響を取り除くため、ヒストグラム上である値以下の頻度は除外するようにして求めた最大輝度（以下、簡単のため、小頻度除外最大輝度と呼ぶ）を用いても良い。
【００１５】
強調特性カーブの基本特性は、ＣＬＩＰ＿ＵＰおよびＣＬＩＰ＿ＢＭ、さらにはＣＵＴ＿ＭＩＮとＣＵＴ＿ＭＡＸによりほぼ決まる。図４は、ＣＵＴ＿ＭＩＮ＝１６，ＣＵＴ＿ＭＡＸ＝３２，ＣＬＩＰ＿ＵＰ＝８０，ＣＬＩＰ＿ＢＭ＝２０とした処理例である。頻度の上限が８０に制限され、頻度の下限が２０に制限され、輝度が１６以下の頻度は０にされ、小頻度除外最大輝度２２４よりも３２だけ低い１９２の輝度までの頻度がカウントされる。
【００１６】
次に、図５に示すように、カット処理とクリップ処理を施したヒストグラムに対して低輝度から順に累積加算処理を行い、さらにヒストグラムの最大輝度ｍａｘ＿ｌｅｖにおける累積頻度を強調特性カーブ上限ＡＲＥＡ＿ＵＰに正規化する。累積頻度から強調カーブの導出は、累積頻度カーブが強調範囲に収まるようにすることを基本とする。この仕組みは、累積頻度の増分の貸し借りによって実現する。すなわち図６に示すように、強調範囲を越える場合は、超えた頻度を貸しとし増分を抑え、強調範囲を下回る場合は下回る頻度を借りとする。そして、貸し借りは、できるだけ早く帳消しにする方針で進める。なお、貸し借りは各階調における傾き制限でも発生する。傾き制限は、図７に示すように、各階調において増加する頻度の上限ＦＭＡＸ＿ＩＮＣと下限ＦＭＩＮ＿ＩＮＣを設けることによって実現する。
【００１７】
ヒストグラム上の頻度に対しカット・クリップ処理を行なった後の輝度ｉに対する頻度をｈ［ｉ］とし、ｈ［ｉ］を全輝度に対し累積加算した累積頻度ＴＣＮＴ（＝ＴＣＮＴ＝Σｈ［ｉ］）を用い、輝度ｉに対する正規化後の累積加算頻度ｈ′［ｉ］を表すと、次式となる。
【００１８】
【数１】
2005109875.tif 000003
【００１９】
ここで、ＡｒｅａＵｐ［ｘ］は、輝度ｉに対する上限線ＡＲＥＡ＿ＵＰ上の輝度値とする。また、ｍａｘ＿ｌｅｖは小頻度最大輝度値からＣＵＴ＿ＭＡＸを引いた輝度値を示す。なお、入出力輝度は８ビット（輝度値０〜２５５）としている。具体的には、低輝度ｉ＝１から高輝度に向かって進める。輝度ｉに対する出力輝度値
ｆ［ｉ］は、区分ｉでの貸し（＋）、借り（−）をＲｅｎｔ［ｉ］とし、関数Ｌｉｍｉｔを導入すると次式で表される。
【００２０】
【数２】
2005109875.tif 000004
【００２１】
図８は、強調特性カーブを算出する動作を示すフローチャートである。ステップＳ１においてカット・クリップ処理を行ない、ステップＳ２において累積頻度の算出を行ない、ステップＳ３において正規化し、ステップＳ４において入出力特性の算出処理を行なう。
【００２２】
図９は、強調特性カーブを例示する図である。前述した手順で算出された入出力特性値ｆ［ｉ］は、補間されて滑らかな曲線となる。例えば、図９では入力輝度１，２，３，．．．，３１に対する値等が補間により決定される。
【００２３】
この実施の形態１では、上限線ＡＲＥＡ＿ＵＰおよび下限線ＡＲＥＡ＿ＢＭで囲まれる範囲に強調特性カーブを収めるので、コントラスト強調をある範囲内で確実に行うことができ、強すぎるコントラスト強調を避けることができる。また、黒つぶれ、白とび等のコントラスト強調に伴う弊害を少なくでき、かつ有効なダイナミックレンジを確保できる。
【００２４】
また、ヒストグラムの最大輝度ｍａｘ＿ｌｅｖにおける累積頻度を強調特性カーブ上限ＡＲＥＡ＿ＵＰに正規化するので、ダイナミックレンジを常に最大にするようなアルゴリズムとは異なり、画像が異なっても画像内の最大輝度近辺では画像間の輝度の大小関係は保持されるので、画像本来がもつ画面全体の明るさの大小関係に矛盾を生じさせる確率を低下させることができる。なお、本実施例では、累積頻度ｈ′［ｉ］を輝度値ｍａｘ＿ｌｅｖに対する上限線上の値に正規化しているが、最大輝度近辺での画像間の輝度の大小関係を維持可能であれば上限線上の値にこだわる必要はない。たとえば、ＡｒｅａＵｐ［ｍａｘ＿ｌｅｖ］の代りに、（２５５−ＡｒｅａＵｐ［ｍａｘ＿ｌｅｖ］）／２＋ＡｒｅａＵｐ［ｍａｘ＿ｌｅｖ］としてもよい。
［実施の形態２］
静止画に対するコントラスト強調は実施の形態１で示した方法で良いが、動画に対しては時間的に強調特性が急激に変化しないようにする必要がある。何故なら、各フィールド毎に決定される強調特性を直接反映すると、各フィールドの強調特性の差により強調映像がガタついたりブレたりして見えることになるからである。特に、インタレース映像では第１フィールドと第２フィールドとでは強調特性が異なることが多く、この傾向が顕著となる。
【００２５】
時間的な安定化に要求される機能は、単に強調特性をゆっくりと変化させる機能だけではない。シーン変化時には、シーン変化直後に新しいシーンで算出した強調特性を真の強調特性とする必要がある。一旦、シーン変化により強調特性を特性すると、ヒストグラムに大きな変動がない限りなるべく強調特性を変化させない方が良い。しかし、パーン画像においてヒストグラムが大きく変化している場合や、更には、画像自体の明るさが急峻に変化している場合は、強調特性を素早く追随する必要がある。
【００２６】
図１０は、この発明の実施の形態２による映像処理装置の構成を示すブロック図である。図１０を参照して、この映像処理装置が図１の映像処理装置と異なる点は、シーン変化検出部４および時間的安定化データ保持部５が追加されている点である。シーン変化検出部４は、ヒストグラム計測部１で生成されたヒストグラムに基づいてシーン変化があったか否かを検出し、検出結果を示す信号を強調特性算出部２に与える。具体的には、シーン変化検出部４は、１フィールド前の総輝度と２フィールド前の総輝度の差がある値以上になれば、シーンが変わったと判断する。なお、総輝度はカット・クリップ処理後の累積頻度ＴＣＮＴ＝Σｈ［ｉ］で代用しても良い。
【００２７】
時間的安定化データ保持部５は、強調特性算出部２で生成された強調特性が大きく変化したかどうかを検出し、その検出結果に基づいてコントラスト強調部３の強調特性を変化させる。具体的には、時間的安定化データ保持部５は、コントラスト強調部３に保持されている１フィールド前の安定化後の入出力特性ｆ′と、新しく算出された瞬時強調特性とを比較し、比較結果に基づいて次式のようにコントラスト強調部３の入出力特性ｆ′を変更する。
【００２８】
【数３】
2005109875.tif 000005
【００２９】
ここで、ｒｅｐｌ（ｉ）部は図１１のイメージとなり、各ｉに対するｒｅｐｌ（ｉ）部は時間的安定化データ保持部５に書き込まれる。ｒｅｐｌ（ｉ）部のＭＳＢが変化するとｆ′（ｉ）のＬＳＢが変化する。ｒｅｐｌ（ｉ）部は、シーン変化時、および｜ｆ′（ｉ）-ｆ（ｉ）｜＞ｔｈ＿ｖの場合は０クリアされる。
【００３０】
図１２は、時間的安定化処理を示すフローチャートである。ステップＳ１１においてシーン変化の有無を検出し、シーン変化があった場合はステップＳ１２において瞬時強調特性を真の強調特性すなわちコントラスト強調部３の強調特性とし、シーン変化が無い場合はステップＳ１３において強調特性算出部２で算出された強調特性の差が大きいか否かを検出する。強調特性算出部２で算出された強調特性の差が大きい場合はステップＳ１４においてコントラスト強調部３の強調特性を素早く変化させ、強調特性算出部２で算出された強調特性の差が小さい場合はステップＳ１５においてコントラスト強調部３の強調特性をゆっくり変化させる。
【００３１】
この実施の形態２では、強調特性算出部２で算出された強調特性が大きく変化した場合はコントラスト強調部３の強調特性を素早く変化させ、強調特性算出部２で算出された強調特性の変化が小さい場合はコントラスト強調部３の強調特性をゆっくり変化させる。したがって、動画においても安定した良好なコントラストを得ることができる。
［実施の形態３］
上述のように入出力特性をＹｉｎ＝Ｙｏｕｔから変化させると、出力輝度には入出力特性の傾きに関係して、表現できない出力輝度レベル（輝度のギャップ）や、入力輝度が違うのに出力輝度が同じとなる入力輝度レベル（輝度の重なり）が原理上発生する。すなわち、傾きが１より大きくなると表現できない出力輝度レベルができる。また、傾きが１より小さくなると入力輝度が違うのに出力輝度が同じとなる入力輝度レベルが発生する。この現象による弊害は、輝度が緩やかに変化するグラデーションの絵柄において、入出力特性を時間的に変化させた場合に視認することができる。
【００３２】
この弊害を緩和するために、図１３に示すように、コントラスト強調部３にエッジ強調部６を並列に接続し、コントラスト強調後の映像に対してエッジ強調成分を付加することによって、輝度のギャップや重なりの発生率を若干ではあるが下げることができる。すなわち、コントラスト強調では入力と出力は１対１対応で変化するが、エッジ強調では周辺画素の影響を受け輝度が変化するため、発生率が下がる。
【００３３】
また、より強力に輝度のギャップや重なりの発生を抑えるため、コントラスト強調部３の後段に、適応的ＬＰＦ（低域フィルタ）部７を設けてもよい。
【００３４】
適応的ＬＰＦ部７では、入力画像の輝度差が小さい箇所では、コントラスト強調を行った後に空間的ＬＰＦ処理を施す。例えば、輝度差検出部８で入力画像のある３ｘ３画素の範囲に対し輝度差が５未満なら、コントラスト強調部３の出力において位置的に対応する画素を中心とし３ｘ３画素の平均値を処理画素の値にする。これにより、輝度差が小さい部分ではコントラスト強調によるギャップや重なりは解消される反面、出力画像が若干ボケることになる。しかし、エッジ強調部６でのエッジ強調度を強めることにより補償することができる。適応的ＬＰＦ部７およびエッジ強調部６の出力は、加算器９によって加算される。なお、図１３中の太線は３ライン分の輝度信号が各回路に並列に入ることを表している。すなわち、コントラスト強調部３、適応的ＬＰＦ部７に至る経路では入力画像３ラインが同時に処理され、適応的ＬＰＦ部７にて中央の１ライン分のみが出力される。また、輝度検出部８およびエッジ強調部６の同様に３ラインが同時に処理される。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３６】
【図１】この発明の実施の形態１による映像処理装置の構成を示すブロック図である。
【図２】図１に示した映像処理装置における強調特性カーブの存在範囲の設定を示す図である。
【図３】図１に示した映像処理装置におけるカット・クリップ処理を示す図である。
【図４】カット・クリップ処理を例示する図である。
【図５】図１に示した映像処理装置における累積頻度および正規化を示す図である。
【図６】図１に示した映像処理装置における入出力特性の算出処理を示す図である。
【図７】図６に示した入出力特性の算出処理における傾き制限を示す図である。
【図８】図１に示した映像処理装置における強調特性カーブの算出方法を示すフローチャートである。
【図９】図１に示した映像処理装置によって生成された強調特性カーブを例示する図である。
【図１０】この発明の実施の形態２による映像処理装置の構成を示すブロック図である。
【図１１】図１０に示した時間的安定化データ保持部の動作を示す図である。
【図１２】図１０に示した映像処理装置における時間的安定化方法を示すフローチャートである。
【図１３】この発明の実施の形態３による映像処理装置の構成を示すブロック図である。
【図１４】従来のコントラスト強調方法を説明するための図である。
【符号の説明】
【００３７】
１  ヒストグラム計測部、２  強調特性算出部、３  コントラスト強調部、４  シーン変化検出部、５  時間的安定化データ保持部、６  エッジ強調部、７  適応的ＬＰＦ部、８  輝度差検出部、９  加算器。
【図１】
2005109875.tif 000006
【図２】
2005109875.tif 000007
【図３】
2005109875.tif 000008
【図４】
2005109875.tif 000009
【図５】
2005109875.tif 000010
【図６】
2005109875.tif 000011
【図７】
2005109875.tif 000012
【図８】
2005109875.tif 000013
【図９】
2005109875.tif 000014
【図１０】
2005109875.tif 000015
【図１１】
2005109875.tif 000016
【図１２】
2005109875.tif 000017
【図１３】
2005109875.tif 000018
【図１４】
2005109875.tif 000019